(57)【特許請求の範囲】
【請求項１】
外部電源から電力が供給される自動取引装置であって、
貨幣の計数処理を実行する実行部と、
前記外部電源から電力が供給される他の自動取引装置における貨幣の計数処理の実行状態を検出し、前記他の自動取引装置で貨幣の計数処理が実行されている場合には前記実行部が貨幣の計数処理を開始しないように制御する制御部と、
貨幣の計数処理が実行中であることを示す実行フラグを格納するフラグ格納部と、
前記フラグ格納部における前記実行フラグの格納状態に基づいて、前記実行部による貨幣の計数処理の実行状態を判定し、前記他の自動取引装置に前記実行状態を通知する通知部と、を有し、
前記制御部は、前記他の自動取引装置で貨幣の計数処理が実行されていない場合には前記実行部による貨幣の計数処理の開始前に前記実行フラグを前記フラグ格納部に格納し、前記実行部による貨幣の計数処理の終了後に格納した前記実行フラグを除去する、
ことを特徴とする自動取引装置。
【請求項２】
前記実行部による貨幣の計数処理は、紙幣の計数処理と硬貨の計数処理とを含む、
ことを特徴とする請求項１に記載の自動取引装置。
【請求項３】
前記制御部は、前記他の自動取引装置で貨幣の計数処理が実行されていることを前記他の自動取引装置からの前記通知により受付けた場合には、前記他の自動取引装置で貨幣の計数処理が実行されていないことを前記他の自動取引装置からの前記通知により受付けるまで前記実行部による貨幣の計数処理を抑止する、
ことを特徴とする請求項１に記載の自動取引装置。
【請求項４】
電源と、前記電源から電力が供給される第１および第２の自動取引装置とを含む自動取引システムであって、
前記第２の自動取引装置における貨幣の計数処理の実行状態を検出し、前記第２の自動取引装置で貨幣の計数処理が実行されている場合には前記第１の自動取引装置が貨幣の計数処理を開始しないように制御し、
前記第１の自動取引装置で貨幣の計数処理が実行中であることを示す実行フラグを格納し、
前記実行フラグの格納状態に基づいて前記第１の自動取引装置による貨幣の計数処理の実行状態を判定して前記第２の自動取引装置に前記実行状態を通知し、
前記第２の自動取引装置で貨幣の計数処理が実行されていない場合には前記第１の自動取引装置による貨幣の計数処理の開始前に前記実行フラグを格納し、前記第１の自動取引装置による貨幣の計数処理の終了後に格納した前記実行フラグを除去する、
ことを特徴とする自動取引システム。
【請求項５】
外部電源から電力が供給される自動取引装置における貨幣の計数処理の実行状態を検出し、前記自動取引装置で貨幣の計数処理が実行されている場合には前記外部電源から電力が供給される他の自動取引装置における貨幣の計数処理を開始しないように制御し、
前記他の自動取引装置で貨幣の計数処理が実行中であることを示す実行フラグを格納し、
前記実行フラグの格納状態に基づいて、前記他の自動取引装置における貨幣の計数処理の実行状態を判定して前記自動取引装置に前記実行状態を通知し、
前記自動取引装置で貨幣の計数処理が実行されていない場合には前記他の自動取引装置による貨幣の計数処理の開始前に前記実行フラグを格納し、前記他の自動取引装置による貨幣の計数処理の終了後に格納した前記実行フラグを除去する、
ことを特徴とする制御装置。
【請求項６】
貨幣の計数処理を実行する実行部を有し、外部電源から電力が供給される自動取引装置が実行する制御方法であって、
前記外部電源から電力が供給される他の自動取引装置における貨幣の計数処理の実行状態を検出し、前記他の自動取引装置で貨幣の計数処理が実行されている場合には前記実行部が貨幣の計数処理を開始しないように制御し、
貨幣の計数処理が実行中であることを示す実行フラグを格納し、
前記実行フラグの格納状態に基づいて、前記実行部による貨幣の計数処理の実行状態を判定して前記他の自動取引装置に前記実行状態を通知し、
前記他の自動取引装置で貨幣の計数処理が実行されていない場合には前記実行部による貨幣の計数処理の開始前に前記実行フラグを格納し、前記実行部による貨幣の計数処理の終了後に格納した前記実行フラグを除去する、
ことを特徴とする制御方法。
【発明の詳細な説明】
【技術分野】
【０００１】
本件は、自動取引装置、自動取引システム、制御装置、および、制御方法に関する。
【背景技術】
【０００２】
例えば、金融機関等の店舗に設置された自動取引装置（ＡＴＭ：Automated Teller Machine）は、店舗に設けられた配電盤等の電力供給設備に接続され、この電力供給設備から電力供給を受けている。この電力供給設備の電力供給能力は、例えば、自動取引装置の最大消費電力に基づいて設定されている。
【０００３】
なお、自動取引装置の消費電力を低減する技術としては、例えば、自動取引装置に省電力モードを設定するものがある。
【先行技術文献】
【特許文献】
【０００４】
【特許文献１】特開２０１１−１２３６６５号公報
【特許文献２】特開２０１０−１４６１５２号公報
【発明の概要】
【発明が解決しようとする課題】
【０００５】
ところで、店舗に自動取引装置が複数台設置される場合、これらの自動取引装置に電力を供給する電力供給設備には、各自動取引装置の最大消費電力の総和以上の電力供給能力が求められる。例えば、最大消費電力が９００Ｗの自動取引装置が店舗に３台設置されている場合、電力供給設備には、２７００Ｗ以上の電力供給能力が求められる。
【０００６】
電力供給設備のコストは、電力供給能力が高くなるに従って増大する。例えば、電力供給能力が高くなると、大容量の高額な保護設備が必要となる。このため、店舗に設置される自動取引装置の台数が多くなると、電力供給設備のコストが大幅に増大してしまう。
【０００７】
このような点に鑑み、開示の自動取引装置、自動取引システム、制御装置、および、制御方法では、複数台の自動取引装置に電力を供給する電力供給設備のコストを低減することを目的とする。
【課題を解決するための手段】
【０００８】
上記目的を達成するために以下のような自動取引装置、自動取引システム、制御装置、および、制御方法が提供される。
この自動取引装置は、外部電源から電力が供給される自動取引装置であって、貨幣の計数処理を実行する実行部と、外部電源から電力が供給される他の自動取引装置における貨幣の計数処理の実行状態を検出し、他の自動取引装置で貨幣の計数処理が実行されている場合には実行部が貨幣の計数処理を開始しないように制御する制御部と、貨幣の計数処理が実行中であることを示す実行フラグを格納するフラグ格納部と、フラグ格納部における実行フラグの格納状態に基づいて、実行部による貨幣の計数処理の実行状態を判定し、他の自動取引装置に実行状態を通知する通知部と、を有し、制御部は、他の自動取引装置で貨幣の計数処理が実行されていない場合には実行部による貨幣の計数処理の開始前に実行フラグをフラグ格納部に格納し、実行部による貨幣の計数処理の終了後に格納した実行フラグを除去する。
【０００９】
また、この自動取引システムは、電源と、電源から電力が供給される第１および第２の自動取引装置とを含む自動取引システムであって、第２の自動取引装置における貨幣の計数処理の実行状態を検出し、第２の自動取引装置で貨幣の計数処理が実行されている場合には第１の自動取引装置が貨幣の計数処理を開始しないように制御し、第１の自動取引装置で貨幣の計数処理が実行中であることを示す実行フラグを格納し、実行フラグの格納状態に基づいて第１の自動取引装置による貨幣の計数処理の実行状態を判定して第２の自動取引装置に実行状態を通知し、第２の自動取引装置で貨幣の計数処理が実行されていない場合には第１の自動取引装置による貨幣の計数処理の開始前に実行フラグを格納し、第１の自動取引装置による貨幣の計数処理の終了後に格納した実行フラグを除去する。
【００１０】
また、この制御装置は、外部電源から電力が供給される自動取引装置における貨幣の計数処理の実行状態を検出し、自動取引装置で貨幣の計数処理が実行されている場合には外部電源から電力が供給される他の自動取引装置における貨幣の計数処理を開始しないように制御し、他の自動取引装置で貨幣の計数処理が実行中であることを示す実行フラグを格納し、実行フラグの格納状態に基づいて、他の自動取引装置における貨幣の計数処理の実行状態を判定して自動取引装置に実行状態を通知し、自動取引装置で貨幣の計数処理が実行されていない場合には他の自動取引装置による貨幣の計数処理の開始前に実行フラグを格納し、他の自動取引装置による貨幣の計数処理の終了後に格納した実行フラグを除去する。
【００１１】
また、この制御方法は、貨幣の計数処理を実行する実行部を有し、外部電源から電力が供給される自動取引装置が実行する制御方法であって、外部電源から電力が供給される他の自動取引装置における貨幣の計数処理の実行状態を検出し、他の自動取引装置で貨幣の計数処理が実行されている場合には実行部が貨幣の計数処理を開始しないように制御し、貨幣の計数処理が実行中であることを示す実行フラグを格納し、実行フラグの格納状態に基づいて、実行部による貨幣の計数処理の実行状態を判定して他の自動取引装置に実行状態を通知し、他の自動取引装置で貨幣の計数処理が実行されていない場合には実行部による貨幣の計数処理の開始前に実行フラグを格納し、実行部による貨幣の計数処理の終了後に格納した実行フラグを除去する。
【発明の効果】
【００１２】
開示の自動取引装置、自動取引システム、制御装置、および、制御方法によれば、複数台の自動取引装置に電力を供給する電力供給設備のコストを低減することが可能となる。
【図面の簡単な説明】
【００１３】
【図１】第１の実施の形態に係る自動取引システムの一例を示す図である。
【図２】第２の実施の形態に係る自動取引システムの一例を示す図である。
【図３】第２の実施の形態に係る自動取引装置のハードウェアの一例を示す図である。
【図４】第２の実施の形態に係る自動取引装置の機能の一例を示す図である。
【図５】第２の実施の形態に係る取引の手順の一例を示すフローチャートである。
【図６】第２の実施の形態に係る取引の手順の一例を示すフローチャートである。
【図７】第２の実施の形態に係る取引の手順の一例を示すフローチャートである。
【図８】第２の実施の形態に係る貨幣の計数処理の実行状態の通知手順の一例を示すフローチャートである。
【図９】第２の実施の形態に係る取引の流れの一例を示す図である。
【発明を実施するための形態】
【００１４】
以下、実施の形態を図面を参照して説明する。
［第１の実施の形態］
図１は、第１の実施の形態に係る自動取引システムの一例を示す図である。
【００１５】
自動取引システム１は、自動取引装置２，３と、外部電源４とを含んでいる。自動取引装置２，３、および、外部電源４は、例えば、金融機関等の店舗に設置されている。自動取引装置２，３は、例えば、取引内容を受け付け、受け付けた取引内容に基づいて貨幣の計数処理や出金処理等の所定の処理を実行する。
【００１６】
自動取引装置２，３には、外部電源４から電力が供給される。外部電源４は、例えば、配電盤である。なお、自動取引装置の数は、２台に限定されるものではなく、３台以上であってもよい。
【００１７】
自動取引装置２は、実行部２ａと制御部２ｂとを有している。実行部２ａは、自動取引装置２が受け付けた取引の内容に基づいて、貨幣の計数処理を実行する。貨幣の計数処理には、紙幣のみの計数処理、硬貨のみの計数処理、および、紙幣と硬貨の両方の計数処理が含まれる。
【００１８】
制御部２ｂは、自動取引装置３における貨幣の計数処理の実行状態を検出し、検出結果に基づいて実行部２ａによる貨幣の計数処理の実行タイミングを制御する。例えば、制御部２ｂは、自動取引装置３において貨幣の計数処理が実行されている場合、実行部２ａが貨幣の計数処理を開始しないように制御する。なお、制御部２ｂは、例えば、自動取引装置２の外部に別の装置として設けるようにしてもよい。
【００１９】
次に、自動取引装置２による制御手順について説明する。
まず、実行部２ａが貨幣の計数処理を実行しようとすると、制御部２ｂが、自動取引装置３にアクセスする。そして、制御部２ｂが、自動取引装置３における貨幣の計数処理の実行状態を検出する。次に、制御部２ｂが、検出結果に基づいて実行部２ａによる貨幣の計数処理の実行タイミングを制御する。
【００２０】
このような自動取引装置２によれば、自動取引装置３において貨幣の計数処理が実行されている間、実行部２ａが貨幣の計数処理を開始しないように制御することができる。すなわち、自動取引装置２，３において、貨幣の計数処理が同じタイミングで実行されないように制御することができる。
【００２１】
ここで、貨幣の計数処理にかかる消費電力は、自動取引装置２，３が実行する他の処理にかかる消費電力と比べて非常に大きい。例えば、通帳やカードの返却処理の際にかかる最大消費電力が３７０Ｗであるのに対し、貨幣の計数処理の際にかかる最大消費電力は９００Ｗである。
【００２２】
このため、自動取引装置２，３において貨幣の計数処理が同じタイミングで実行されないように制御することで、自動取引装置２，３を含む自動取引装置群のピーク消費電力を大幅に下げることができる。これにより、外部電源４に求められる電力供給能力を大幅に低くすることができ、外部電源４のコストを低減することが可能となる。
【００２３】
［第２の実施の形態］
次に、第２の実施の形態に係る自動取引装置について説明する。
図２は、第２の実施の形態に係る自動取引システムの一例を示す図である。
【００２４】
自動取引システム１０は、金融機関等の店舗１１に設置されている自動取引装置１２，１３，１４および配電盤１７と、ネットワーク２１と、ネットワーク２１に接続されたホスト装置２２とを含んでいる。
【００２５】
配電盤１７には、店舗１１に設置されている電力供給ライン１６から電力が供給される。また、配電盤１７は、電力供給コード１８を介して各自動取引装置１２〜１４に電力を供給する。配電盤１７は、商用電源とも称される。なお、各自動取引装置１２〜１４の稼働時の最大消費電力は、例えば９００Ｗであり、最小消費電力は、例えば３００Ｗである。また、店舗１１に設置される自動取引装置の台数は、３台に限定されるものではなく、２台、または、４台以上であってもよい。
【００２６】
自動取引装置１２〜１４は、店舗１１に設置されているＬＡＮ（Local Area Network）１５に接続され、互いに通信することが可能である。また、各自動取引装置１２〜１４は、ＬＡＮ１５およびＬＡＮ１５に接続されたネットワーク２１を介して、ホスト装置２２と通信することが可能である。
【００２７】
自動取引装置１２〜１４は、取引内容を受け付け、受け付けた取引内容に基づいた取引処理をホスト装置２２に要求する。取引処理には、例えば、払戻、預入、振替、振込、および、残高照会等がある。また、自動取引装置１２〜１４は、ホスト装置２２から取引許可の通知および取引情報を受信すると、受信した取引情報に基づいて、貨幣の計数処理や出金処理等の所定の処理を実行する。
【００２８】
ホスト装置２２は、利用者の口座等と管理し、各自動取引装置１２〜１４から要求された取引処理を実行する。また、ホスト装置２２は、取引可否の通知および取引情報を、自動取引装置１２〜１４のうち取引処理の要求のあった自動取引装置に送信する。
【００２９】
図３は、第２の実施の形態に係る自動取引装置のハードウェアの一例を示す図である。なお、ここでは、代表して自動取引装置１２について説明するが、自動取引装置１３，１４も自動取引装置１２と同様のハードウェアを有している。
【００３０】
自動取引装置１２は、制御装置１００と、制御装置１００によって制御される複数の装置とを有している。制御装置１００は、ＣＰＵ（Central Processing Unit）１０１によって装置全体が制御されている。ＣＰＵ１０１には、バス１０８を介してメモリ１０２と複数の周辺機器が接続されている。メモリ１０２は、例えば、ＲＡＭ（Random Access Memory）である。
【００３１】
メモリ１０２は、制御装置１００の主記憶装置として使用される。メモリ１０２には、ＣＰＵ１０１に実行させるＯＳ（Operating System）のプログラムやアプリケーションプログラムの少なくとも一部が一時的に格納される。また、メモリ１０２には、ＣＰＵ１０１による処理に必要な各種データが格納される。
【００３２】
バス１０８に接続されている周辺機器としては、ハードディスクドライブ（ＨＤＤ:Hard Disk Drive）１０３、グラフィック処理装置１０４、入力インタフェース１０５、入出力インタフェース１０６、および通信インタフェース１０７がある。
【００３３】
ＨＤＤ１０３は、内蔵したディスクに対して、磁気的にデータの書き込みおよび読み出しを行う。ＨＤＤ１０３は、制御装置１００の二次記憶装置として使用される。ＨＤＤ１０３には、ＯＳのプログラム、アプリケーションプログラム、および各種データが格納される。なお、二次記憶装置としては、フラッシュメモリ等の半導体記憶装置を使用することもできる。
【００３４】
グラフィック処理装置１０４には、ディスプレイ３１が接続されている。グラフィック処理装置１０４は、ＣＰＵ１０１からの命令に従って、画像をディスプレイ３１の画面に表示させる。ディスプレイ３１としては、ＣＲＴ（Cathode Ray Tube）を用いた表示装置や液晶表示装置等がある。
【００３５】
入力インタフェース１０５には、タッチパネル３２が接続されている。タッチパネル３２は、ディスプレイ３１の上面に配置されており、ディスプレイ３１に表示された画像は、タッチパネル３２を透過し、利用者に視認される。入力インタフェース１０５は、タッチパネル３２から送られてくる信号をＣＰＵ１０１に送信する。
【００３６】
入出力インタフェース１０６には、対人センサ３３と、紙幣取扱ユニット３４と、硬貨取扱ユニット３５と、通帳取扱ユニット３６と、カード・レシート取扱ユニット３７と、電源ユニット３８とが接続されている。
【００３７】
入出力インタフェース１０６は、対人センサ３３、紙幣取扱ユニット３４、硬貨取扱ユニット３５、通帳取扱ユニット３６、カード・レシート取扱ユニット３７、および、電源ユニット３８から送られてくる信号をＣＰＵ１０１に送信する。また、入出力インタフェース１０６は、ＣＰＵ１０１から送られてくる信号を、対人センサ３３、紙幣取扱ユニット３４、硬貨取扱ユニット３５、通帳取扱ユニット３６、カード・レシート取扱ユニット３７、および、電源ユニット３８に送信する。
【００３８】
対人センサ３３は、自動取引装置１２の正面に人が立つと、これを検出して検出信号をＣＰＵ１０１に送信する。紙幣取扱ユニット３４は、ＣＰＵ１０１からの命令に従って、紙幣の計数、紙幣の搬送、紙幣の出入、および、紙幣の収納等を実行する。硬貨取扱ユニット３５は、ＣＰＵ１０１からの命令に従って、硬貨の計数、硬貨の搬送、硬貨の出入、および、硬貨の収納等を実行する。
【００３９】
通帳取扱ユニット３６は、ＣＰＵ１０１からの命令に従って、通帳の搬送、通帳の出入、および、通帳への印字等を実行する。カード・レシート取扱ユニット３７は、ＣＰＵ１０１からの命令に従って、カード情報の読み取り、カードの出入、カードおよびレシートの搬送、レシートの排出、および、レシートへの印字を実行する。
【００４０】
電源ユニット３８は、電力供給コード１８に接続されており、制御装置１００、ディスプレイ３１、タッチパネル３２、対人センサ３３、紙幣取扱ユニット３４、硬貨取扱ユニット３５、通帳取扱ユニット３６、および、カード・レシート取扱ユニット３７に電源ライン３８ａを介して電力を供給する。
【００４１】
通信インタフェース１０７は、ＬＡＮ１５に接続されている。通信インタフェース１０７は、ＬＡＮ１５を介して、他の自動取引装置、コンピュータ、または、通信機器との間でデータの送受信を行う。
【００４２】
なお、紙幣取扱ユニット３４、硬貨取扱ユニット３５、通帳取扱ユニット３６、および、カード・レシート取扱ユニット３７は、モータおよびマグネット等によって動作するメカユニットである。
【００４３】
また、紙幣取扱ユニット３４、硬貨取扱ユニット３５、通帳取扱ユニット３６、および、カード・レシート取扱ユニット３７はそれぞれ、ＣＰＵ１０１からの命令に従って、単独で、または、他のメカユニットと並行して動作する。
【００４４】
以上のようなハードウェア構成によって、本実施の形態の処理機能を実現することができる。
図４は、第２の実施の形態に係る自動取引装置の機能の一例を示す図である。なお、ここでは、代表して自動取引装置１２について説明するが、自動取引装置１３，１４も自動取引装置１２と同様の機能を有している。
【００４５】
自動取引装置１２は、ホスト装置２２に接続された実行部１２ａと、自動取引装置１３，１４に接続された制御部１２ｂおよび通知部１２ｄと、フラグ格納部１２ｃとを有している。
【００４６】
実行部１２ａは、ディスプレイ３１、タッチパネル３２、対人センサ３３、紙幣取扱ユニット３４、硬貨取扱ユニット３５、通帳取扱ユニット３６、カード・レシート取扱ユニット３７、および、電源ユニット３８を制御する。
【００４７】
また、実行部１２ａは、取引内容を受け付け、受け付けた取引内容に基づいた取引処理をホスト装置２２に要求する。また、実行部１２ａは、ホスト装置２２から取引許可の通知および取引情報を受信すると、受信した取引情報に基づいて、紙幣取扱ユニット３４、硬貨取扱ユニット３５、通帳取扱ユニット３６、および、カード・レシート取扱ユニット３７を用いて所定の処理を実行する。
【００４８】
所定の処理には、例えば、貨幣の計数処理、貨幣の出金処理、レシートの排出処理、および、カードまたは通帳の返却処理等がある。なお、貨幣の計数処理には、紙幣のみの計数処理、硬貨のみの計数処理、および、紙幣と硬貨両方の計数処理が含まれる。同様に、貨幣の出金処理には、紙幣のみの出金処理、硬貨のみの出金処理、および、紙幣と硬貨両方の出金処理が含まれる。
【００４９】
フラグ格納部１２ｃには、貨幣の計数処理が実行中であることを示す実行フラグが格納される。なお、ここでは、フラグ格納部１２ｃに実行フラグが格納されている状態を、実行フラグが設定されている状態とし、フラグ格納部１２ｃに実行フラグが格納されていない状態を、実行フラグが解除されている状態とする。
【００５０】
制御部１２ｂは、自動取引装置１３，１４に、貨幣の計数処理の実行状態の通知を要求する。また、制御部１２ｂは、フラグ格納部１２ｃに対する実行フラグの格納および削除を行う。
【００５１】
通知部１２ｄは、フラグ格納部１２ｃにおける実行フラグの格納状態に基づいて、実行部１２ａによる貨幣の計数処理の実行状態を判定する。そして、通知部１２ｄは、判定結果を自動取引装置１３，１４に通知する。
【００５２】
次に、自動取引装置１２による取引の手順について説明する。
図５〜図７は、第２の実施の形態に係る取引の手順の一例を示すフローチャートである。なお、ここでは、代表して自動取引装置１２が実行する処理について説明するが、自動取引装置１３，１４も自動取引装置１２と同様の処理を実行する。
【００５３】
［ステップＳ１１］実行部１２ａが、利用者によって選択された取引種別を受け付ける。取引種別には、例えば、払戻、預入、振替、振込、および、残高照会等がある。
［ステップＳ１２］実行部１２ａが、利用者によって自動取引装置１２に挿入されたカードまたは通帳からカード情報または通帳情報を読み取る。
【００５４】
［ステップＳ１３］実行部１２ａが、利用者によって入力された暗証番号を受け付ける。
［ステップＳ１４］実行部１２ａが、利用者によって入力された取引金額を受け付ける。なお、このステップは、取引種別によっては省略される。
【００５５】
［ステップＳ１５］実行部１２ａが、受け付けた取引内容に基づく取引処理をホスト装置２２に要求する。これに応じて、ホスト装置２２が、要求された取引処理を実行し、取引可否の通知および取引情報を実行部１２ａに送信する。
【００５６】
［ステップＳ１６］実行部１２ａが、ホスト装置２２から取引可否の通知および取引情報を受信する。
［ステップＳ１７］実行部１２ａが、ホスト装置２２から受信した取引可否の通知が取引許可の通知であるかどうかを判定する。取引許可の通知である場合、実行部１２ａは、処理をステップＳ１８に進める。取引許可の通知ではない場合、実行部１２ａは、処理をステップＳ２９に進める。
【００５７】
［ステップＳ１８］制御部１２ｂが、実行部１２ａによって貨幣の計数処理が実行されるかどうかを判定する。なお、この段階ではまだ、実行部１２ａによって貨幣の計数処理は実行されていない。
【００５８】
例えば、実行部１２ａは、ホスト装置２２から受信した取引情報に基づいて、実行する処理を決定する。制御部１２ｂは、この決定結果に貨幣の計数処理が含まれているかどうかを検出することで、実行部１２ａによって貨幣の計数処理が実行されるかどうかを、実行部１２ａが貨幣の計数処理を実際に実行する前に判定することができる。
【００５９】
実行部１２ａによって貨幣の計数処理が実行される場合、制御部１２ｂは、処理をステップＳ１９に進める。実行部１２ａによって貨幣の計数処理が実行されない場合、制御部１２ｂは、処理をステップＳ２８に進める。
【００６０】
［ステップＳ１９］制御部１２ｂが、他の自動取引装置１３，１４のうち、まだアクセスしていない１つにアクセスする。
［ステップＳ２０］制御部１２ｂが、アクセスした自動取引装置に対して、その自動取引装置における貨幣の計数処理の実行状態の通知を要求する。これにより、アクセスした自動取引装置から、制御部１２ｂに貨幣の計数処理の実行状態が通知される。
【００６１】
［ステップＳ２１］制御部１２ｂが、アクセスした自動取引装置から貨幣の計数処理の実行状態を受信する。
［ステップＳ２２］制御部１２ｂが、受信した貨幣の計数処理の実行状態に基づいて、アクセスした自動取引装置において貨幣の計数処理が実行中であるか、または、実行中ではないかを判定する。貨幣の計数処理が実行中である場合、制御部１２ｂは、所定期間待機した後、処理をステップＳ２０に戻す。所定期間は、例えば、２秒間である。なお、貨幣の計数処理にかかる時間は、例えば、１０秒間である。貨幣の計数処理が実行中ではない場合、制御部１２ｂは、処理をステップＳ２３に進める。
【００６２】
［ステップＳ２３］制御部１２ｂが、他の自動取引装置１３，１４の全てにアクセスしたかどうかを判定する。全ての自動取引装置にアクセスした場合、制御部１２ｂは、処理をステップＳ２４に進める。アクセスしていない自動取引装置がある場合、制御部１２ｂは、処理をステップＳ１９に戻す。
【００６３】
［ステップＳ２４］制御部１２ｂが、フラグ格納部１２ｃに実行フラグを格納する。
［ステップＳ２５］実行部１２ａが、ホスト装置２２から受信した取引情報に基づいて、貨幣の計数処理を実行する。
【００６４】
［ステップＳ２６］制御部１２ｂが、フラグ格納部１２ｃから実行フラグを削除する。
［ステップＳ２７］実行部１２ａが、計数した貨幣の出金処理を実行する。なお、このステップは、取引種別が預入の場合は省略される。
【００６５】
［ステップＳ２８］実行部１２ａが、レシートの排出処理を実行する。
［ステップＳ２９］実行部１２ａが、カードまたは通帳の返却処理を実行して処理を終了する。
【００６６】
次に、自動取引装置１２による貨幣の計数処理の実行状態の通知手順について説明する。
図８は、第２の実施の形態に係る貨幣の計数処理の実行状態の通知手順の一例を示すフローチャートである。なお、ここでは、代表して自動取引装置１２が実行する処理について説明するが、自動取引装置１３，１４も自動取引装置１２と同様の処理を実行する。
【００６７】
図８に示す処理は、例えば、他の自動取引装置１３，１４から、貨幣の計数処理の実行状態の通知の要求があったときに実行される。
［ステップＳ４１］通知部１２ｄが、フラグ格納部１２ｃにアクセスする。
【００６８】
［ステップＳ４２］通知部１２ｄが、フラグ格納部１２ｃに実行フラグが格納されているかどうかを判定する。実行フラグが格納されている場合、通知部１２ｄは、処理をステップＳ４３に進める。実行フラグが格納されていない場合、通知部１２ｄは、処理をステップＳ４４に進める。
【００６９】
［ステップＳ４３］通知部１２ｄが、実行部１２ａによって貨幣の計数処理が実行中であると判定する。
［ステップＳ４４］通知部１２ｄが、実行部１２ａによって貨幣の計数処理が実行中ではないと判定する。
【００７０】
［ステップＳ４５］通知部１２ｄが、貨幣の計数処理の実行状態の通知を要求してきた自動取引装置に、判定結果を通知して処理を終了する。
次に、自動取引装置１２〜１４うち、２台の自動取引装置において、同じタイミングで払戻の取引が実行された場合の例を説明する。
【００７１】
図９は、第２の実施の形態に係る取引の流れの一例を示す図である。図９に示す処理は、自動取引装置１４が払戻の取引を実行している間に、自動取引装置１２が払戻の取引を受け付けた場合の例である。なお、自動取引装置１４は、上述したように自動取引装置１２と同様の機能を有しているものとする。
【００７２】
［ステップＳ５１］自動取引装置１４が、払戻の取引を受け付ける。
［ステップＳ５２］自動取引装置１４が、実行フラグを設定する。
［ステップＳ５３］自動取引装置１４が、貨幣の計数処理を開始する。
【００７３】
［ステップＳ５４］自動取引装置１２が、払戻の取引を受け付ける。
［ステップＳ５５］自動取引装置１２が、貨幣の計数処理の実行状態の通知を、自動取引装置１４に要求する。
【００７４】
［ステップＳ５６］自動取引装置１４が、実行フラグの設定状態を判定する。このとき、自動取引装置１４では実行フラグが設定されているため、自動取引装置１４は、貨幣の計数処理を実行中であると判定する。
【００７５】
［ステップＳ５７］自動取引装置１４が、貨幣の計数処理を実行中であることを自動取引装置１２に通知する。
［ステップＳ５８］自動取引装置１２が、貨幣の計数処理を実行中であるとの通知を、自動取引装置１４から受信する。ここで、自動取引装置１２は、貨幣の計数処理を実行せずに、所定期間待機する。所定期間は、例えば、２秒間である。
【００７６】
［ステップＳ５９］自動取引装置１４が、貨幣の計数処理を終了する。
［ステップＳ６０］自動取引装置１４が、実行フラグを解除する。
［ステップＳ６１］自動取引装置１２が、ステップＳ５８から所定期間が経過した後、貨幣の計数処理の実行状態の通知を、再度、自動取引装置１４に要求する。
【００７７】
［ステップＳ６２］自動取引装置１４が、実行フラグの設定状態を判定する。このとき、自動取引装置１４では実行フラグが解除されているため、自動取引装置１４は、貨幣の計数処理を実行中ではないと判定する。
【００７８】
［ステップＳ６３］自動取引装置１４が、貨幣の計数処理を実行中ではないことを自動取引装置１２に通知する。
［ステップＳ６４］自動取引装置１２が、貨幣の計数処理を実行中ではないとの通知を、自動取引装置１４から受信する。
【００７９】
［ステップＳ６５］自動取引装置１２が、貨幣の計数処理を開始する。
このように、自動取引システム１０によれば、例えば、自動取引装置１２〜１４の１つが払戻の取引を実行している間に、他の自動取引装置が払戻の取引を受け付けた場合であっても、自動取引装置１２〜１４の１つと他の自動取引装置とにおいて、貨幣の計数処理が同じタイミングで実行されないように制御することができる。
【００８０】
このため、自動取引装置１２〜１４を含む自動取引装置群のピーク消費電力を大幅に下げることができる。これにより、配電盤１７に求められる電力供給能力を大幅に低くすることができ、配電盤１７のコストを低減することが可能となる。
【００８１】
例えば、配電盤１７の電力供給能力は、１台分の自動取引装置の最大消費電力（９００Ｗ）に、２台分の自動取引装置の最小消費電力（３００Ｗ）を加えた１５００Ｗに設定することができる。この場合、例えば、１００Ｖ、１５Ａの電気系統を１つ用意すればよい。
【００８２】
なお、貨幣の計数処理の実行タイミングの制御を行わない場合は、例えば、配電盤１７の電力供給能力は、少なくても、各自動取引装置１２〜１４の最大消費電力（９００Ｗ）を総和した２７００Ｗに設定される。この場合、例えば、１００Ｖ、１５Ａの電気系統を２つ用意する必要がある。
【００８３】
また、自動取引装置１２〜１４では、他の自動取引装置において貨幣の計数処理が実行されている場合、自装置において貨幣の計数処理は開始されないが、その待ち時間は長くても貨幣の計数処理にかかる時間（例えば、１０秒間）だけなので、取引に要する時間が大幅に長くなるものではない。
【００８４】
そもそも、貨幣の計数処理にかかる時間は、例えば、１０秒間と非常に短いため、店舗１１に設置されている自動取引装置が３台程度である場合は、貨幣の計数処理の実行タイミングが重なる確率は低い。
【００８５】
また、上述した実施の形態では、２台の自動取引装置において貨幣の計数処理が同じタイミングで実行されないように制御しているが、店舗１１に多数の自動取引装置が設置されるような場合には、３台以上の所定の台数の自動取引装置において貨幣の計数処理が同じタイミングで実行されないように制御することも可能である。
【００８６】
なお、上記の処理機能は、コンピュータによって実現することができる。その場合、自動取引装置１２〜１４が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ）、磁気テープ等がある。光ディスクには、ＤＶＤ（Digital Versatile Disc）、ＤＶＤ−ＲＡＭ、ＣＤ−ＲＯＭ（Compact Disc Read Only Memory）／ＲＷ（ReWritable）等がある。光磁気記録媒体には、ＭＯ（Magneto-Optical disk）等がある。
【００８７】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【００８８】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【００８９】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【００９０】
１，１０  自動取引システム
２，３，１２，１３，１４  自動取引装置
２ａ，１２ａ  実行部
２ｂ，１２ｂ  制御部
４  外部電源
１１  店舗
１２ｃ  フラグ格納部
１２ｄ  通知部
１５  ＬＡＮ
１６  電力供給ライン
１７  配電盤
１８  電力供給コード
２１  ネットワーク
２２  ホスト装置
【図１】
0005706806.tif 000002
【図２】
0005706806.tif 000003
【図３】
0005706806.tif 000004
【図４】
0005706806.tif 000005
【図５】
0005706806.tif 000006
【図６】
0005706806.tif 000007
【図７】
0005706806.tif 000008
【図８】
0005706806.tif 000009
【図９】
0005706806.tif 000010